(57)【要約】【課題】現状の高画質動画映像記録規格に準拠して記録媒体に記録された映像コンテンツを再生する際、ユーザにとっての取り扱いを便利にして十分に実用に適するようにした映像再生装置及び映像再生方法を提供すること。【解決手段】実施の形態によれば、映像再生装置は、記録媒体と作成手段とを備える。記録媒体は、動画映像コンテンツの記録規格に準拠して映像コンテンツとその属性情報とが別個のフォルダに記録される。作成手段は、記録媒体に記録された各映像コンテンツを記録媒体の所定のフォルダに記録された属性情報に基づいて分類したリストを作成する。【選択図】    図８
2012034247.tif 000002
【特許請求の範囲】
【請求項１】
動画映像コンテンツの記録規格に準拠して映像コンテンツとその属性情報とが別個のフォルダに記録された記録媒体と、
前記記録媒体に記録された各映像コンテンツを前記記録媒体の所定のフォルダに記録された属性情報に基づいて分類したリストを作成する作成手段とを具備する映像再生装置。
【請求項２】
前記作成手段で作成した映像コンテンツのリストを表示する表示手段を具備する請求項１記載の映像再生装置。
【請求項３】
前記記録媒体内に前記動画映像コンテンツの記録規格に独自のフォルダが存在するか否かを判別し、存在する場合、前記記録媒体内の前記動画映像コンテンツの記録規格に準拠して記録された映像コンテンツを再生するか、その他の映像コンテンツを再生するかを選択させるための選択手段を具備する請求項１記載の映像再生装置。
【請求項４】
前記作成手段は、前記記録媒体に記録された各映像コンテンツを撮影した日付別に分類したリスト、または、撮影の設定別に分類したリストを作成する請求項１記載の映像再生装置。
【請求項５】
前記作成手段は、前記記録媒体に記録された各映像コンテンツを撮影した日付別に分類したリストの中からいずれかの日付が選択されたとき、その日付で撮影した各映像コンテンツを撮影した時間別に分類したリストを作成する請求項４記載の映像再生装置。
【請求項６】
前記動画映像コンテンツの記録規格は、ＡＶＣＨＤ規格である請求項１記載の映像再生装置。
【請求項７】
前記作成手段は、前記記録媒体内のストリームフォルダに記録された各映像コンテンツを、前記記録媒体内のプレイリストフォルダに記録された日付情報に基づいて、撮影した日付別に分類したリストを作成する請求項６記載の映像再生装置。
【請求項８】
前記作成手段は、前記記録媒体に記録された各映像コンテンツを撮影した日付別に分類したリストの中からいずれかの日付が選択されたとき、その日付で撮影した各映像コンテンツを、前記記録媒体内のクリップ情報フォルダに記録された撮影時刻を示す情報に基づいて、撮影した時間別に分類したリストを作成する請求項７記載の映像再生装置。
【請求項９】
動画映像コンテンツの記録規格に準拠して映像コンテンツとその属性情報とが別個のフォルダに記録された記録媒体を再生する映像再生方法であって、
前記記録媒体内に前記動画映像コンテンツの記録規格に独自のプライベートフォルダが存在するか否かを判別し、
前記プライベートフォルダが存在する場合、前記記録媒体内の前記動画映像コンテンツの記録規格に準拠して記録された映像コンテンツを再生するか、その他の映像コンテンツを再生するかを選択し、
前記動画映像コンテンツの記録規格に準拠して記録された映像コンテンツの再生が選択されたとき、前記記録媒体内に前記動画映像コンテンツの記録規格に準拠して記録された各映像コンテンツを、前記記録媒体の所定のフォルダに記録された属性情報に基づいて分類したリストを作成する映像再生方法。
【発明の詳細な説明】
【技術分野】
【０００１】
この発明の実施の形態は、高画質動画映像記録規格に準拠してビデオカメラで記録された映像コンテンツを再生する映像再生装置及び映像再生方法に関する。
【背景技術】
【０００２】
周知のように、近年では、高画質な動画映像を家庭用のビデオカメラで撮影し記録するために各種の規格が策定されている。この種の規格では、映像コンテンツに対して高効率な圧縮符号化処理を施すことにより、小容量の記録媒体に対しても、高画質な動画映像を十分に記録することができるようにしている。
【０００３】
ところで、現状における高画質動画映像記録規格では、記録対象となる記録媒体の種類が限られていることや、映像コンテンツの記録ファイルと、その属性情報や管理情報等の記録ファイルとが別フォルダに分散して記録される構成となっていることから、ユーザにとって取り扱いが煩雑になっている点が多く存在している。
【先行技術文献】
【特許文献】
【０００４】
【特許文献１】特開２００８−０４７１６３号公報
【発明の概要】
【発明が解決しようとする課題】
【０００５】
現状の高画質動画映像記録規格に準拠して記録媒体に記録された映像コンテンツを再生する際、ユーザにとっての取り扱いを便利にして十分に実用に適するようにした映像再生装置及び映像再生方法を提供することを目的とする。
【課題を解決するための手段】
【０００６】
実施の形態によれば、映像再生装置は、記録媒体と作成手段とを備える。記録媒体は、動画映像コンテンツの記録規格に準拠して映像コンテンツとその属性情報とが別個のフォルダに記録される。作成手段は、記録媒体に記録された各映像コンテンツを記録媒体の所定のフォルダに記録された属性情報に基づいて分類したリストを作成する。
【図面の簡単な説明】
【０００７】
【図１】実施の形態におけるデジタルテレビジョン放送受信装置の信号処理系の一例を説明するために示すブロック構成図。
【図２】同実施の形態におけるデジタルテレビジョン放送受信装置に使用されるリモートコントローラの一例を説明するために示す外観図。
【図３】同実施の形態におけるＡＶＣＨＤ規格に準拠したフォルダ構成の一例を説明するために示す図。
【図４】同実施の形態におけるデジタルテレビジョン放送受信装置が行なう主要な処理動作の一例を説明するために示すフローチャート。
【図５】同実施の形態におけるデジタルテレビジョン放送受信装置で表示されるコンテンツ選択画面の一例を説明するために示す図。
【図６】同実施の形態におけるデジタルテレビジョン放送受信装置で表示される機器選択画面の一例を説明するために示す図。
【図７】同実施の形態におけるデジタルテレビジョン放送受信装置で表示されるＡＶＣＨＤ選択画面の一例を説明するために示す図。
【図８】同実施の形態におけるデジタルテレビジョン放送受信装置で表示される日付別リスト表示画面の一例を説明するために示す図。
【図９】同実施の形態におけるデジタルテレビジョン放送受信装置で表示される時間別リスト表示画面の一例を説明するために示す図。
【発明を実施するための形態】
【０００８】
以下、実施の形態について図面を参照して詳細に説明する。図１は、この実施の形態で説明する映像再生装置として、デジタルテレビジョン放送受信装置１１の信号処理系を概略的に示している。
【０００９】
すなわち、アンテナ１２で受信したデジタルテレビジョン放送信号は、入力端子１３を介してチューナ部１４に供給されることにより、所望のチャンネルの放送信号が選局される。チューナ部１４で選局された放送信号は、復調復号部１５に供給されてデジタルの映像信号及び音声信号等に復元された後、信号処理部１６に出力される。
【００１０】
この信号処理部１６は、復調復号部１５から供給されたデジタルの映像信号及び音声信号に対してそれぞれ所定のデジタル信号処理を施している。そして、この信号処理部１６は、デジタルの映像信号を合成処理部１７に出力し、デジタルの音声信号を音声処理部１８に出力している。
【００１１】
このうち、合成処理部１７は、信号処理部１６から供給されるデジタルの映像信号に、ＯＳＤ（on screen display）信号を重畳して出力している。そして、合成処理部１７から出力されたデジタルの映像信号は、映像処理部１９に供給される。
【００１２】
この映像処理部１９は、入力されたデジタルの映像信号を、後段の、例えば液晶表示パネル等を有する平面型の映像表示部２０で表示可能なフォーマットに変換している。そして、この映像処理部１９から出力された表示映像信号が、映像表示部２０に供給されて映像表示に供される。
【００１３】
また、上記音声処理部１８は、入力されたデジタルの音声信号を、後段のスピーカ２１で再生可能なフォーマットのアナログ音声信号に変換している。そして、この音声処理部１８から出力されたアナログ音声信号が、スピーカ２１に供給されることにより音声再生に供される。
【００１４】
ここで、このデジタルテレビジョン放送受信装置１１は、上記した各種の受信動作を含むその全ての動作を制御部２２によって統括的に制御されている。この制御部２２は、ＣＰＵ（central processing unit）２２ａを内蔵しており、デジタルテレビジョン放送受信装置１１の本体に設置された操作部２３からの操作情報を受けて、または、リモートコントローラ２４から送出され受光部２５で受信した操作情報を受けて、その操作内容が反映されるように各部をそれぞれ制御している。
【００１５】
この場合、制御部２２は、メモリ部２２ｂを利用している。このメモリ部２２ｂは、主として、ＣＰＵ２２ａが実行する制御プログラムを記録したＲＯＭ（read only memory）と、該ＣＰＵ２３ａに作業エリアを提供するためのＲＡＭ（random access memory）と、各種の設定情報及び制御情報等が記録される不揮発性メモリとを有している。
【００１６】
また、この制御部２２には、ＨＤＤ（hard disk drive）２６が接続されている。この制御部２２は、ユーザによる操作部２３やリモートコントローラ２４の操作に基づいて、上記復調復号部１５から得られるデジタルの映像信号及び音声信号を、記録再生処理部２７によって暗号化し所定の記録フォーマットに変換した後、ＨＤＤ２６に供給してハードディスク２６ａに記録させるように制御することができる。
【００１７】
さらに、この制御部２２は、ユーザによる操作部２３やリモートコントローラ２４の操作に基づいて、ＨＤＤ２６によりハードディスク２６ａからデジタルの映像信号及び音声信号を読み出させ、上記記録再生処理部２７によって復号化した後、信号処理部１６に供給することによって、以後、上記した映像表示及び音声再生に供させるように制御することができる。
【００１８】
また、上記デジタルテレビジョン放送受信装置１１には、入力端子２８が接続されている。この入力端子２８は、デジタルテレビジョン放送受信装置１１の外部からデジタルの映像信号及び音声信号を直接入力するためのものである。この入力端子２８を介して入力されたデジタルの映像信号及び音声信号は、ユーザによる操作部２３やリモートコントローラ２４の操作に対応した制御部２２の制御に基づいて、記録再生処理部２７を介した後、信号処理部１６に供給されて、以後、上記した映像表示及び音声再生に供される。
【００１９】
さらに、この入力端子２８を介して入力されたデジタルの映像信号及び音声信号は、ユーザによる操作部２３やリモートコントローラ２４の操作に対応した制御部２２の制御に基づいて、記録再生処理部２７を介した後、ＨＤＤ２６によるハードディスク２６ａに対しての記録再生に供される。
【００２０】
ここで、上記制御部２２には、カードコネクタ２９が接続されている。このカードコネクタ２９には、例えばＳＤ（secure digital）メモリカード等のような、映像や音声等のコンテンツを記録再生可能なメディアカード３０が着脱可能に装着される。
【００２１】
そして、制御部２２は、ユーザによる操作部２３やリモートコントローラ２４の操作に基づいて、メディアカード３０から映像や音声等のコンテンツを読み出し、映像表示及び音声再生に供させることができる。
【００２２】
また、制御部２２は、ユーザによる操作部２３やリモートコントローラ２４の操作に基づいて、受信した映像や音声等のコンテンツ、または、入力端子２８から入力した映像や音声等のコンテンツを、メディアカード３０に記録させることができる。
【００２３】
さらに、上記制御部２２には、ＵＳＢ（universal serial bus）コネクタ３１が接続されている。このＵＳＢコネクタ３１には、例えばＵＳＢメモリ等のような、映像や音声等のコンテンツを記録再生可能なＵＳＢ機器３２が着脱可能に装着される。
【００２４】
そして、制御部２２は、ユーザによる操作部２３やリモートコントローラ２４の操作に基づいて、ＵＳＢ機器３２から映像や音声等のコンテンツを読み出し、映像表示及び音声再生に供させることができる。
【００２５】
また、制御部２２は、ユーザによる操作部２３やリモートコントローラ２４の操作に基づいて、受信した映像や音声等のコンテンツ、または、入力端子２８から入力した映像や音声等のコンテンツを、ＵＳＢ機器３２に記録させることができる。
【００２６】
さらに、上記制御部２２には、例えばＤＬＮＡ（digital living network alliance）仕様のネットワークインターフェース３３が接続されている。このネットワークインターフェース３３は、入出力端子３４を介してホームネットワーク３５上のＤＬＮＡサーバ３６に接続されている。
【００２７】
これにより、制御部２２は、ユーザによる操作部２３やリモートコントローラ２４の操作に基づいて、ＤＬＮＡサーバ３６から映像や音声等のコンテンツを読み出し、映像表示及び音声再生に供させることができる。
【００２８】
また、制御部２２は、ユーザによる操作部２３やリモートコントローラ２４の操作に基づいて、受信した映像や音声等のコンテンツ、または、入力端子２８から入力した映像や音声等のコンテンツを、ＤＬＮＡサーバ３６に記録させることができる。
【００２９】
図２は、上記リモートコントローラ２４の外観を示している。このリモートコントローラ２４には、主として、電源キー２４ａ、入力切替キー２４ｂ、数字キー２４ｃ、チャンネルアップダウンキー２４ｄ、音量調整キー２４ｅ、カーソル上キー２４ｆ、カーソル下キー２４ｇ、カーソル左キー２４ｈ、カーソル右キー２４ｉ、決定キー２４ｊ、メニューキー２４ｋ、戻るキー２４ｌ、終了キー２４ｍ、４色（青，赤，緑，黄）のカラーキー２４ｎ等が設けられている。
【００３０】
また、このリモートコントローラ２４には、再生停止キー２４ｏ、再生／一時停止キー２４ｐ、逆方向スキップキー２４ｑ、順方向スキップキー２４ｒ、早戻しキー２４ｓ、早送りキー２４ｔ等が設けられている。
【００３１】
すなわち、上記ＨＤＤ２６、メディアカード３０、ＵＳＢ機器３２、ＤＬＮＡサーバ３６等から選択的に取得した映像や音声等のコンテンツに対しては、リモートコントローラ２４の再生停止キー２４ｏや再生／一時停止キー２４ｐを操作することにより、再生、停止、一時停止を行なうことが可能となる。
【００３２】
また、リモートコントローラ２４の逆方向スキップキー２４ｑや順方向スキップキー２４ｒを操作することにより、ＨＤＤ２６、メディアカード３０、ＵＳＢ機器３２、ＤＬＮＡサーバ３６等から選択的に取得して再生している映像や音声等の情報を、その再生方向に対して逆方向や順方向に一定量ずつスキップさせる、いわゆる、逆方向スキップや順方向スキップを行なうことができる。
【００３３】
さらに、リモートコントローラ２５の早戻しキー２５ｓや早送りキー２５ｔ等を操作することにより、ＨＤＤ２６、メディアカード３０、ＵＳＢ機器３２、ＤＬＮＡサーバ３６等から選択的に取得して再生している映像や音声等の情報を、その再生方向に対して逆方向や順方向に連続的に高速で再生させる、いわゆる、早戻し再生や早送り再生を行なうことができる。
【００３４】
ここで、上記メディアカード３０に、高画質動画映像記録規格に準拠して図示しないビデオカメラで記録された映像コンテンツが記録されている場合について説明する。この場合、高画質動画映像記録規格としては、例えばＡＶＣＨＤ［advanced video coded high definition（登録商標）］規格を例にとって説明する。
【００３５】
図３は、ＳＤメモリカードを記録媒体として、映像コンテンツをＡＶＣＨＤ規格で記録する場合におけるフォルダ構成を示している。すなわち、ＡＶＣＨＤ規格では、Root（ルート）フォルダ３７の下層に、ＡＶＣＨＤ規格に独自のPrivate（プライベート）フォルダ３８が存在する。
【００３６】
そして、このPrivate（プライベート）フォルダ３８の下層には、AVCHDフォルダ３９を介してAVCHDTNフォルダ４０とBDNVフォルダ４１とが配置されている。このうち、AVCHDTNフォルダ４０には、サムネイル管理情報であるTHUMB．TIDファイル４０ａと、サムネイル情報本体であるTHUMB．TDTファイル４０ｂとが含まれている。
【００３７】
また、上記BDMVフォルダ４１には、インデックステーブルであるINDEX．BDMファイル４１ａと、ナビゲーションコマンドであるMOVIEOB．BDMファイル４１ｂとが含まれている。
【００３８】
さらに、上記BDMVフォルダ４１の下層には、PLAYLIST（プレイリスト）フォルダ４２が配置され、このPLAYLIST（プレイリスト）フォルダ４２には、MPLファイル４２ａが含まれている。このMPLファイル４２ａには、そのextension data partにプレイリストの日付情報が存在している。
【００３９】
また、上記BDMVフォルダ４１の下層には、CLIPINF（クリップ情報）フォルダ４３が配置され、このCLIPINF（クリップ情報）フォルダ４３には、CPIファイル４３ａが含まれている。このCPIファイル４３ａには、映像コンテンツの撮影開始時刻（start time）や撮影終了時刻（end time）等の情報が存在している。
【００４０】
さらに、上記BDMVフォルダ４１の下層には、STREAM（ストリーム）フォルダ４４が配置され、このSTREAM（ストリーム）フォルダ４４には、映像コンテンツがＴＳ（transport stream）の形態で記録されたMTSファイル４４ａが存在している。
【００４１】
図４は、上記制御部２２が、メディアカード３０、ＵＳＢ機器３２及びＤＬＮＡサーバ３６から、そこに記録されているコンテンツを選択的に取得して再生する場合の主要な処理動作をまとめたフローチャートを示している。すなわち、処理が開始（ステップＳ１）されると、ユーザは、ステップＳ２で、メディアカード３０、ＵＳＢ機器３２及びＤＬＮＡサーバ３６からコンテンツを取得するモードに設定する。
【００４２】
すると、制御部２２は、ステップＳ３で、図５に一例を示すようなコンテンツ選択画面４５を映像表示部２０に表示させて、再生するコンテンツの種類をユーザに選択させる。このコンテンツ選択画面４５は、動画映像（movie）、写真（photo）、音楽（music）に対応する３つの項目を表示しており、ユーザがリモートコントローラ２４のカーソル上または下２４ｆ，２４ｇを操作して、所望の項目を選択し決定キー２４ｊを操作することにより、再生するコンテンツの種類を決定することができる。
【００４３】
その後、制御部２２は、ステップＳ４で、コンテンツ選択画面４５により動画映像が選定されたか否かを判別し、動画映像が選定されていないと判断された場合（ＮＯ）、ステップＳ５で、メディアカード３０、ＵＳＢ機器３２及びＤＬＮＡサーバ３６に記録されたコンテンツのうち、動画映像に対応する映像コンテンツ以外のコンテンツのリストを映像表示部２０に表示させて、処理を終了（ステップＳ１２）する。
【００４４】
また、上記ステップＳ４で動画映像が選定されたと判断された場合（ＹＥＳ）、制御部２２は、ステップＳ６で、図６に一例を示すような機器選択画面４６を映像表示部２０に表示させて、映像コンテンツを取得する機器をユーザに選択させる。この機器選択画面４６は、メディアカード３０、ＵＳＢ機器３２、ＤＬＮＡサーバ３６に対応する３つの項目を表示しており、ユーザがリモートコントローラ２４のカーソル上または下２４ｆ，２４ｇを操作して、所望の項目を選択し決定キー２４ｊを操作することにより、映像コンテンツを取得する機器を決定することができる。
【００４５】
その後、制御部２２は、ステップＳ７で、機器選択画面４６により選定された機器（例えばメディアカード３０）内のRoot（ルート）フォルダ３７の下層に、Private（プライベート）フォルダ３８が存在するか否かを判別する。そして、Private（プライベート）フォルダ３８が存在しないと判断された場合（ＮＯ）、制御部２２は、ステップＳ８で、メディアカード３０に記録されたコンテンツのリストを映像表示部２０に表示させて、処理を終了（ステップＳ１２）する。
【００４６】
また、上記ステップＳ７で、Root（ルート）フォルダ３７の下層にPrivate（プライベート）フォルダ３８が存在すると判断された場合（ＹＥＳ）、制御部２２は、ステップＳ９で、図７に一例を示すようなＡＶＣＨＤ選択画面４７を映像表示部２０に表示させてメディアカード３０内のＡＶＣＨＤ規格に準拠して記録された映像コンテンツを取得するか、その他の映像コンテンツを取得するかをユーザに選択させる。
【００４７】
このＡＶＣＨＤ選択画面４７は、デジタルビデオカメラ及びその他に対応する２つの項目を表示しており、ユーザがリモートコントローラ２４のカーソル上または下２４ｆ，２４ｇを操作して、所望の項目を選択し決定キー２４ｊを操作することにより、いずれかの項目を決定することができる。
【００４８】
その後、制御部２２は、ステップＳ１０で、ＡＶＣＨＤ選択画面４７上でデジタルビデオカメラが選定されたか否かを判別し、デジタルビデオカメラが選定されていないと判断された場合（ＮＯ）、上記のステップＳ８で、メディアカード３０に記録されたコンテンツのうち、ＡＶＣＨＤ規格以外の映像コンテンツのリストを映像表示部２０に表示させて、処理を終了（ステップＳ１２）する。
【００４９】
また、上記ステップＳ１０でデジタルビデオカメラが選定されたと判断された場合（ＹＥＳ）、制御部２２は、ステップＳ１１で、メディアカード３０に記録されたコンテンツのうち、ＡＶＣＨＤ規格に対応する映像コンテンツのリストを映像表示部２０に表示させて、処理を終了（ステップＳ１２）する。
【００５０】
図８は、上記ステップＳ１１で表示される日付別リスト表示画面４８の一例を示している。この日付別リスト表示画面４８では、メディアカード３０に記録されたコンテンツのうち、ＡＶＣＨＤ規格に準拠して記録された各映像コンテンツを、撮影した日付別に分けて映像表示部２０にリスト表示したものである。
【００５１】
すなわち、制御部２２は、先に図３で説明したように、PLAYLIST（プレイリスト）フォルダ４２内のMPLファイル４２ａに含まれている日付情報を利用して、STREAM（ストリーム）フォルダ４４内のMTSファイル４４ａに記録されている各映像コンテンツを日付別に分類することにより、日付別リスト表示画面４８を作成し表示させることができる。
【００５２】
なお、この日付別リスト表示画面４８上で、ユーザがリモートコントローラ２４のカーソル上または下２４ｆ，２４ｇを操作して、所望の日付の項目を選択すると、制御部２２は、その日付で最初に撮影した映像コンテンツの最初の映像をモニタ領域４８ａに表示させるように機能する。
【００５３】
また、この日付別リスト表示画面４８上において、ユーザがリモートコントローラ２４のカーソル上または下２４ｆ，２４ｇを操作して、所望の日付の項目を選択し決定キー２４ｊを操作すると、制御部２２は、図９に一例を示すように、選定した日付に撮影した各映像コンテンツを、撮影した時間別に分けてリスト表示した時間別リスト表示画面４９を作成し表示させることができる。
【００５４】
すなわち、制御部２２は、PLAYLIST（プレイリスト）フォルダ４２内のMPLファイル４２ａが含まれている日付情報を利用して日付別に分類した各映像コンテンツを、CLIPINF（クリップ情報）フォルダ４３内のCPIファイル４３ａに含まれている撮影開始時刻（start time）を示す情報を利用して、さらに撮影時間別に分類することにより、時間別リスト表示画面４９を作成し表示させることができる。
【００５５】
なお、この時間別リスト表示画面４９上で、ユーザがリモートコントローラ２４のカーソル上または下２４ｆ，２４ｇを操作して、所望の時間の項目を選択すると、制御部２２は、その時間で撮影開始された映像コンテンツに基づく動画映像をモニタ領域４９ａに表示させるように機能する。
【００５６】
また、この時間別リスト表示画面４９上において、ユーザがリモートコントローラ２４のカーソル上または下２４ｆ，２４ｇを操作して、所望の時間の項目を選択し決定キー２４ｊを操作すると、制御部２２は、選定した時間で撮影開始された映像コンテンツに基づく動画映像を、映像表示部２０の画面のほぼ全域に表示させるように機能する。
【００５７】
上記した実施の形態によれば、STREAM（ストリーム）フォルダ４４に記録された各映像コンテンツを、PLAYLIST（プレイリスト）フォルダ４２に記録された日付情報や、CLIPINF（クリップ情報）フォルダ４３に記録された撮影開始時刻を示す情報等を利用して、日付別に分類してリスト表示するとともに、同じ日付であれば撮影時間別に分類してリスト表示するようにしている。
【００５８】
このため、ＡＶＣＨＤ規格に準拠して記録された映像コンテンツを再生する際、再生すべき映像コンテンツを検索する作業が容易になり、ユーザにとっての取り扱いを便利にして十分に実用に適するものとすることができる。
【００５９】
この点に関し、現状では、記録媒体に記録されたフォルダ構成のまま各フォルダの情報が表示されるので、多量の映像コンテンツの中から所望の映像コンテンツを検索する作業が煩雑になっている。また、STREAM（ストリーム）フォルダ４４内に含まれる各ファイルは、そのファイル名を見ても内容が分かり難いため、このような点でも、映像コンテンツの検索作業が煩雑になっている。
【００６０】
なお、上記した実施の形態では、記録した映像コンテンツを撮影した日付別に分類したリストを作成するようにしたが、これに限らず、例えば撮影機器の設定を変更したとき新たなプレイリストを作成することにより、撮影の設定別に分類したリストを作成するようにしても良いものである。
【００６１】
また、ＡＶＣＨＤ規格では、映像コンテンツを記録する対象となる記録媒体が、ＳＤメモリカード、メモリスティック、インターネット上の特定のサーバ等に規制されている。これに対し、上記した実施の形態によれば、例えばＳＤメモリカードに記録されているＡＶＣＨＤ規格に準拠した情報を、ＡＶＣＨＤ規格のフォルダ構成のままでＵＳＢ機器３２やＤＬＮＡサーバ３６等に保存すれば、図８や図９に示した日付別及び時間別のリスト表示画面４８，４９を表示させることができるようになるため、ユーザにとっての取り扱いを便利にして十分に実用に適するものとすることができる。
【００６２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６３】
１１…デジタルテレビジョン放送受信装置、１２…アンテナ、１３…入力端子、１４…チューナ部、１５…復調復号部、１６…信号処理部、１７…合成処理部、１８…音声処理部、１９…映像処理部、２０…映像表示部、２１…スピーカ、２２…制御部、２２ａ…ＣＰＵ、２２ｂ…メモリ部、２３…操作部、２４…リモートコントローラ、２５…受光部、２６…ＨＤＤ、２６ａ…ハードディスク、２７…記録再生処理部、２８…入力端子、２９…カードコネクタ、３０…メディアカード、３１…ＵＳＢコネクタ、３２…ＵＳＢ機器、３３…ネットワークインターフェース、３４…入出力端子、３５…ホームネットワーク、３６…ＤＬＮＡサーバ、３７…Root（ルート）フォルダ、３８…Private（プライベート）フォルダ、３９…AVCHDフォルダ、４０…AVCHDTNフォルダ、４０ａ…THUMB．TIDファイル、４０ｂ…THUMB．TDTファイル、４１…BDMVフォルダ、４１ａ…INDEX．BDMファイル、４１ｂ…MOVIEOB．BDMファイル、４２…PLAYLIST（プレイリスト）フォルダ、４２ａ…MPLファイル、４３…CLIPINF（クリップ情報）フォルダ、４３ａ…CPIファイル、４４…STREAM（ストリーム）フォルダ、４４ａ…MTSファイル、４５…コンテンツ選択画面、４６…機器選択画面、４７…ＡＶＣＨＤ選択画面、４８…日付別リスト表示画面、４８ａ…モニタ領域、４９…時間別リスト表示画面、４９ａ…モニタ領域。
【図１】
2012034247.tif 000003
【図２】
2012034247.tif 000004
【図３】
2012034247.tif 000005
【図４】
2012034247.tif 000006
【図５】
2012034247.tif 000007
【図６】
2012034247.tif 000008
【図７】
2012034247.tif 000009
【図８】
2012034247.tif 000010
【図９】
2012034247.tif 000011
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
動画映像コンテンツの記録規格に準拠して映像コンテンツとその属性情報とが別個のフォルダに記録された記録媒体を接続する接続手段と、
前記記録媒体に記録された各映像コンテンツを前記記録媒体の所定のフォルダに記録された属性情報に基づいて分類したリストを作成する作成手段とを具備する映像再生装置。
【請求項２】
前記作成手段で作成した映像コンテンツのリストを表示する表示手段を具備する請求項１記載の映像再生装置。
【請求項３】
前記記録媒体内に前記動画映像コンテンツの記録規格に独自のフォルダが存在するか否かを判別し、存在する場合、前記記録媒体内の前記動画映像コンテンツの記録規格に準拠して記録された映像コンテンツを再生するか、その他の映像コンテンツを再生するかを選択させるための選択手段を具備する請求項１記載の映像再生装置。
【請求項４】
前記作成手段は、前記記録媒体に記録された各映像コンテンツを撮影した日付別に分類したリスト、または、撮影の設定別に分類したリストを作成する請求項１記載の映像再生装置。
【請求項５】
前記作成手段は、前記記録媒体に記録された各映像コンテンツを撮影した日付別に分類したリストの中からいずれかの日付が選択されたとき、その日付で撮影した各映像コンテンツを撮影した時間別に分類したリストを作成する請求項４記載の映像再生装置。
【請求項６】
前記動画映像コンテンツの記録規格は、ＡＶＣＨＤ規格である請求項１記載の映像再生装置。
【請求項７】
前記作成手段は、前記記録媒体内のストリームフォルダに記録された各映像コンテンツを、前記記録媒体内のプレイリストフォルダに記録された日付情報に基づいて、撮影した日付別に分類したリストを作成する請求項６記載の映像再生装置。
【請求項８】
前記作成手段は、前記記録媒体に記録された各映像コンテンツを撮影した日付別に分類したリストの中からいずれかの日付が選択されたとき、その日付で撮影した各映像コンテンツを、前記記録媒体内のクリップ情報フォルダに記録された撮影時刻を示す情報に基づいて、撮影した時間別に分類したリストを作成する請求項７記載の映像再生装置。
【請求項９】
動画映像コンテンツの記録規格に準拠して映像コンテンツとその属性情報とが別個のフォルダに記録された記録媒体を再生する映像再生方法であって、
前記記録媒体内に前記動画映像コンテンツの記録規格に独自のプライベートフォルダが存在するか否かを判別し、
前記プライベートフォルダが存在する場合、前記記録媒体内の前記動画映像コンテンツの記録規格に準拠して記録された映像コンテンツを再生するか、その他の映像コンテンツを再生するかを選択し、
前記動画映像コンテンツの記録規格に準拠して記録された映像コンテンツの再生が選択されたとき、前記記録媒体内に前記動画映像コンテンツの記録規格に準拠して記録された各映像コンテンツを、前記記録媒体の所定のフォルダに記録された属性情報に基づいて分類したリストを作成する映像再生方法。
【手続補正２】
【補正対象書類名】明細書
【補正対象項目名】０００６
【補正方法】変更
【補正の内容】
【０００６】
実施の形態によれば、映像再生装置は、接続手段と作成手段とを備える。接続手段は、動画映像コンテンツの記録規格に準拠して映像コンテンツとその属性情報とが別個のフォルダに記録された記録媒体を接続する。作成手段は、記録媒体に記録された各映像コンテンツを記録媒体の所定のフォルダに記録された属性情報に基づいて分類したリストを作成する。
【手続補正書】
【提出日】平成23年10月17日(2011.10.17)
【手続補正１】
【補正対象書類名】明細書
【補正対象項目名】０００６
【補正方法】変更
【補正の内容】
【０００６】
実施の形態によれば、映像再生装置は、接続手段と作成手段と選択手段と表示手段とを備える。接続手段は、動画映像コンテンツの記録規格に準拠して映像コンテンツとその属性情報とが別個のフォルダに記録された記録媒体を接続する。作成手段は、記録媒体に記録された各映像コンテンツを記録媒体の対応するフォルダに記録された属性情報に基づいて分類したリストを作成する。選択手段は、記録媒体内に所定の記録規格に準拠したフォルダが存在するか否かを判別し、存在する場合、所定の記録規格に準拠して記録された映像コンテンツについて、作成手段で作成したリストを表示するためのものである。表示手段は、選択手段での選択に基づき、所定の記録規格に準拠した映像コンテンツについて、作成手段で作成したリストを表示する。
【手続補正２】
【補正対象書類名】特許請求の範囲
【補正対象項目名】全文
【補正方法】変更
【補正の内容】
【特許請求の範囲】
【請求項１】
映像コンテンツの記録規格に準拠して映像コンテンツとその属性情報とが別個のフォルダに記録された記録媒体を接続する接続手段と、
前記記録媒体に記録された各映像コンテンツを前記記録媒体の対応するフォルダに記録された属性情報に基づいて分類したリストを作成する作成手段と、
前記記録媒体内に所定の記録規格に準拠するフォルダが存在するか否かを判別し、存在する場合、前記所定の記録規格に準拠して記録された映像コンテンツについて、前記作成手段で作成したリストを表示するための選択手段と、
前記選択手段での選択に基づき、前記所定の記録規格に準拠して記録された映像コンテンツについて、前記作成手段で作成したリストを表示する表示手段とを具備する映像再生装置。
【請求項２】
前記選択手段は、前記記録媒体内に前記所定の記録規格に準拠したフォルダが存在する場合、前記所定の記録規格に準拠して記録された映像コンテンツについて表示するか、それ以外の映像コンテンツについて表示するかを選択する請求項１記載の映像再生装置。
【請求項３】
前記選択手段は、前記記録媒体内に前記所定の記録規格に準拠したフォルダが存在する場合、前記所定の記録規格に準拠して記録された映像コンテンツについて表示するか、前記記録媒体に記録された映像コンテンツについて表示するかを選択する請求項１記載の映像再生装置。
【請求項４】
前記作成手段は、前記記録媒体に記録された各映像コンテンツを撮影した日付別に分類したリスト、または、撮影の設定別に分類したリストを作成する請求項１記載の映像再生装置。
【請求項５】
前記作成手段は、前記記録媒体に記録された各映像コンテンツを撮影した日付別に分類したリストの中からいずれかの日付が選択されたとき、その日付で撮影した各映像コンテンツを撮影した時間別に分類したリストを作成する請求項４記載の映像再生装置。
【請求項６】
前記映像コンテンツの記録規格はＡＶＣＨＤ規格である請求項１記載の映像再生装置。
【請求項７】
前記作成手段は、前記記録媒体内のストリームフォルダに記録された各映像コンテンツを、前記記録媒体内のプレイリストフォルダに記録された日付情報に基づいて、撮影した日付別に分類したリストを作成する請求項６記載の映像再生装置。
【請求項８】
前記作成手段は、前記記録媒体に記録された各映像コンテンツを撮影した日付別に分類したリストの中からいずれかの日付が選択されたとき、その日付で撮影した各映像コンテンツを、前記記録媒体内のクリップ情報フォルダに記録された撮影時刻を示す情報に基づいて、撮影した時間別に分類したリストを作成する請求項７記載の映像再生装置。
【請求項９】
映像コンテンツの記録規格に準拠して映像コンテンツとその属性情報とが別個のフォルダに記録された記録媒体を再生する映像再生方法であって、
前記記録媒体に記録された各映像コンテンツを前記記録媒体の対応するフォルダに記録された属性情報に基づいて分類したリストを作成する工程と、
前記記録媒体内に所定の記録規格に準拠したフォルダが存在するか否かを判別し、存在する場合、前記所定の記録規格に準拠して記録された映像コンテンツについて、前記作成したリストを表示するために選択する工程と、
前記リストを表示するための選択に基づき、前記所定の記録規格に準拠して記録された映像コンテンツについて、前記作成したリストを表示する工程とを有する映像再生方法。